(57)【要約】【課題】バッテリのメンテナンスを容易に行うことができ、かつ、構成部品のメンテナンスや調整を容易に行えるようにする。【解決手段】ベース体３０は、枠部２１の内側に配置されるとともに、枠底板２１ｂ（枠部２１の底面）に着脱可能に固定される。スライド体４０は、ベース体３０に対して、旋回フレーム左右方向Ｘにスライド可能に構成される。スライド体４０は、スライド体４０の少なくとも一部４０ａが枠部２１の内側に配置された状態と、一部４０ａが枠部２１の外側に配置された状態と、の間でスライド可能に構成される。【選択図】図６
2015140627.tif 000002
【特許請求の範囲】
【請求項１】
枠部と、
前記枠部の内側に配置されるとともに、前記枠部の底面に着脱可能に固定されるベース体と、
前記ベース体の上方に配置されるとともに、バッテリが搭載されるスライド体と、
を備え、
前記スライド体は、前記ベース体に対してスライド可能に構成され、
前記スライド体は、前記スライド体の少なくとも一部が前記枠部の内側に配置された状態と、前記一部が前記枠部の外側に配置された状態と、の間でスライド可能に構成される、
作業機械のバッテリ搭載構造。
【請求項２】
請求項１に記載の作業機械のバッテリ搭載構造であって、
前記ベース体に固定されるベース側上下規制部と、
前記スライド体に固定されるスライド側上下規制部と、
を備え、
前記スライド側上下規制部は、前記枠部に対して前記スライド体が引き出された引出状態のとき、前記ベース側上下規制部の下方に配置されるとともに前記ベース側上下規制部に対向して配置される、
作業機械のバッテリ搭載構造。
【請求項３】
請求項２に記載の作業機械のバッテリ搭載構造であって、
前記ベース体に対して上下方向に位置調整可能に前記ベース側上下規制部を固定する、または、前記スライド体に対して上下方向に位置調整可能に前記スライド側上下規制部を固定する、上下規制部締結部材を備える、
作業機械のバッテリ搭載構造。
【請求項４】
請求項２または３に記載の作業機械のバッテリ搭載構造であって、
前記スライド体は、前記ベース体に対して上下方向の間隔をあけて配置され、
前記ベース側上下規制部と前記スライド側上下規制部とが対向する部分は、前記スライド体の下方、かつ、スライド体幅方向における前記スライド体の幅以内に配置される、
作業機械のバッテリ搭載構造。
【請求項５】
請求項２〜４のいずれかに記載の作業機械のバッテリ搭載構造であって、
前記スライド体は、
前記バッテリが搭載されるトレー部と、
前記トレー部のスライド方向奥側部分に固定されるとともに、前記スライド側上下規制部が取り付けられる上下規制部取付部と、
を備え、
前記スライド側上下規制部は、スライド体幅方向における前記トレー部の幅以内に配置される、
作業機械のバッテリ搭載構造。
【請求項６】
請求項１〜５のいずれかに記載の作業機械のバッテリ搭載構造であって、
前記ベース体に固定されるベース側左右規制部と、
前記スライド体に固定されるスライド側左右規制部と、
を備え、
前記スライド側左右規制部は、スライド方向から見て前記ベース側左右規制部の左および右に配置されるとともに前記ベース側左右規制部に対向して配置される、
作業機械のバッテリ搭載構造。
【請求項７】
請求項６に記載の作業機械のバッテリ搭載構造であって、
前記スライド体は、前記ベース体に対して上下方向の間隔をあけて配置され、
前記ベース側左右規制部と前記スライド側左右規制部とが対向する部分は、前記スライド体の下方、かつ、スライド体幅方向における前記スライド体の幅以内に配置される、
作業機械のバッテリ搭載構造。
【請求項８】
請求項４、５、および７のいずれかに記載の作業機械のバッテリ搭載構造であって、
前記ベース体と前記スライド体との間に配置されるスライドパッドを備える、
作業機械のバッテリ搭載構造。
【請求項９】
請求項１〜８のいずれかに記載の作業機械のバッテリ搭載構造であって、
前記ベース体に固定されるベース側格納ストッパと、
前記スライド体のスライド方向手前側部分に固定されるスライド側格納ストッパと、
前記枠部に対して前記スライド体が格納された格納状態のとき、前記ベース側格納ストッパと前記スライド側格納ストッパとを固定する格納ストッパ締結部材と、
を備える、作業機械のバッテリ搭載構造。
【請求項１０】
請求項１〜９のいずれかに記載の作業機械のバッテリ搭載構造であって、
前記ベース体に固定されるベース側跳上ストッパと、
前記スライド体のスライド奥側部分に固定されるスライド側跳上ストッパと、
を備え、
前記スライド側跳上ストッパは、前記枠部に対して前記スライド体が格納された格納状態のとき、前記ベース側跳上ストッパの下方に配置されるとともに前記ベース側跳上ストッパに対向して配置される、
作業機械のバッテリ搭載構造。
【請求項１１】
請求項１０に記載の作業機械のバッテリ搭載構造であって、
前記ベース体に対して上下方向に位置調整可能に前記ベース側跳上ストッパを固定する、または、前記スライド体に対して上下方向に位置調整可能に前記スライド側跳上ストッパを固定する、跳上ストッパ締結部材を備える、
作業機械のバッテリ搭載構造。
【請求項１２】
請求項１０または１１に記載の作業機械のバッテリ搭載構造であって、
前記ベース側跳上ストッパまたは前記スライド側跳上ストッパは、スライド方向手前側からスライド方向奥側になるに従って表面の位置が下になるように傾斜する傾斜部を備える、
作業機械のバッテリ搭載構造。
【請求項１３】
請求項１〜１２のいずれかに記載の作業機械のバッテリ搭載構造であって、
前記ベース体に固定されるベース側引出ストッパと、
前記スライド体に固定されるスライド側引出ストッパと、
を備え、
前記スライド側引出ストッパは、前記ベース側引出ストッパよりもスライド方向奥側に配置されるとともに前記ベース側引出ストッパに対向して配置される、
作業機械のバッテリ搭載構造。
【請求項１４】
請求項１３に記載の作業機械のバッテリ搭載構造であって、
前記ベース体に着脱可能に前記ベース側引出ストッパを固定する脱落防止締結部材を備える、
作業機械のバッテリ搭載構造。
【請求項１５】
請求項１〜１４のいずれかに記載の作業機械のバッテリ搭載構造であって、
前記作業機械は、
前部に作業装置が取り付けられるとともに後部にカウンタウェイトが設けられる旋回フレームと、
前記旋回フレームに対して移動可能に構成される可動式キャブと、
前記旋回フレームに対して前記可動式キャブを移動可能に支持するとともに、基部が前記旋回フレームに固定されるキャブ支持ブラケットと、
を備え、
前記枠部は、前記キャブ支持ブラケットの前記基部に形成され、
前記スライド体は、前記旋回フレームの左右方向にスライド可能に構成される、
作業機械のバッテリ搭載構造。
【発明の詳細な説明】
【技術分野】
【０００１】
本発明は、作業機械のバッテリ搭載構造に関する。
【背景技術】
【０００２】
従来より、狭いスペースに機器を配置した作業機械がある。例えば、特許文献１には、キャブ支持ブラケットの基部に形成された狭いスペースに、発電機（３０）が配置されたものが記載されている。
【先行技術文献】
【特許文献】
【０００３】
【特許文献１】特開２００６−３２１６４９号公報
【発明の概要】
【発明が解決しようとする課題】
【０００４】
特許文献１に記載の技術は、狭いスペースに発電機を配置する技術である。通常、発電機は日常メンテナンスの必要性が無い。そのため、狭いスペースに発電機が配置されても問題は生じない。しかし、この発電機をバッテリに置換すれば、バッテリの日常メンテナンスが困難になるおそれがある。
【０００５】
また、狭いスペースにバッテリを搭載するために、何らかの装置を用いるとする。すると、バッテリだけでなく、この装置も狭いスペースに配置されることになる。すると、この装置のメンテナンスや調整が困難になるおそれがある。
【０００６】
そこで、バッテリのメンテナンスを容易に行うことができ、かつ、構成部品のメンテナンスや調整を容易に行える、作業機械のバッテリ搭載構造を提供することを本発明の目的とする。
【課題を解決するための手段】
【０００７】
本発明の作業機械のバッテリ搭載構造は、枠部と、前記枠部の内側に配置されるとともに、前記枠部の底面に着脱可能に固定されるベース体と、前記ベース体の上方に配置されるとともに、バッテリが搭載されるスライド体と、を備える。前記スライド体は、前記ベース体に対してスライド可能に構成される。前記スライド体は、前記スライド体の少なくとも一部が前記枠部の内側に配置された状態と、前記一部が前記枠部の外側に配置された状態と、の間でスライド可能に構成される。
【発明の効果】
【０００８】
上記構成により、バッテリのメンテナンスを容易に行うことができ、かつ、構成部品のメンテナンスや調整を容易に行える。
【図面の簡単な説明】
【０００９】
【図１】作業機械１を横から見た図である。
【図２】図１に示す旋回フレーム１１などの平面図である。
【図３】図１に示すバッテリ搭載構造２０の斜視図である。
【図４】図３に示すバッテリ搭載構造２０の平面図である。
【図５】図４に示すバッテリ搭載構造２０の正面図（Ｆ５矢視図）である。
【図６】図４に示すバッテリ搭載構造２０の側断面図（Ｆ６−Ｆ６矢視断面図）であり、スライド体４０が格納状態のときの図である。
【図７】図６に示すスライド体４０が引出状態のときの図６相当図である。
【図８】図４に示すバッテリ搭載装置２５の正面断面図（Ｆ８−Ｆ８矢視断面図）である。
【図９】図４に示すバッテリ搭載装置２５の側断面図（Ｆ９−Ｆ９矢視断面図）である。
【図１０】図４に示すバッテリ搭載装置２５の側断面図（Ｆ１０−Ｆ１０矢視断面図）である。
【図１１】図４に示すベース体３０などの平面図である。
【図１２】図１１に示すベース体３０などの正面図（Ｆ１２矢視図）である。
【図１３】図１１に示すベース体３０などの側面図（Ｆ１３矢視図）である。
【図１４】図４に示すスライド体４０などの平面図である。
【図１５】図１４に示すスライド体４０などの正面図（Ｆ１５矢視図）である。
【図１６】図１４に示すスライド体４０などの側面図（Ｆ１６矢視図）である。
【図１７】図１４に示すスライド体４０などの側断面図（Ｆ１７−Ｆ１７矢視断面図）である。
【図１８】図１４に示すスライド体４０などの側断面図（Ｆ１８−Ｆ１８矢視断面図）である。
【図１９】変形例の図８相当図である。
【図２０】従来の作業機械のキャブ支持ブラケット２１５周辺を横から見た図である。
【図２１】図２０に示す従来のキャブ支持ブラケット２１５周辺を上から見た図（Ｆ２１矢視図）である。
【発明を実施するための形態】
【００１０】
図１〜図１８を参照して作業機械１のバッテリ搭載構造２０について説明する。
【００１１】
作業機械１は、例えば油圧ショベルなどである。作業機械１は、下部走行体２と、上部旋回体１０と、を備える。下部走行体２は、作業機械１を走行させる部分であり、例えばクローラ式である。
【００１２】
上部旋回体１０は、旋回フレーム１１と、作業装置１２と、カウンタウェイト１３と、可動式キャブ１４と、キャブ支持ブラケット１５と、バッテリ１９と、バッテリ搭載構造２０と、を備える。
【００１３】
旋回フレーム１１は、下部走行体２に対して旋回可能に取り付けられる（搭載される）構造物である。作業装置１２（アタッチメント）は、旋回フレーム１１の前部に取り付けられる。作業機械１が油圧ショベルの場合、作業装置１２は、ブーム、アーム、およびバケット等である。カウンタウェイト１３は、旋回フレーム１１の後部に設けられる、おもりである。ここで、旋回フレーム１１の前後方向を、旋回フレーム前後方向Ｙとする。また、旋回フレーム前後方向Ｙに直交し、かつ水平方向と平行な方向（旋回フレーム１１の左右方向）を、旋回フレーム左右方向Ｘとする。
【００１４】
可動式キャブ１４は、作業機械１の運転室である。可動式キャブ１４は、旋回フレーム１１に対して移動可能に構成される。
【００１５】
キャブ支持ブラケット１５は、旋回フレーム１１に対して可動式キャブ１４を移動可能に支持する。キャブ支持ブラケット１５は、旋回フレーム１１から上に延びるように配置される（旋回フレーム１１に立てて設けられる）。図２に示すように、キャブ支持ブラケット１５は、旋回フレーム左右方向Ｘにおける旋回フレーム１１の端部（左または右の端部）に配置される。キャブ支持ブラケット１５は、エレベータ式、リンク式、前後スライド式、またはチルト式などである。図１では、エレベータ式のキャブ支持ブラケット１５（昇降式キャブ架台、エレベータ支持架台）を示す。キャブ支持ブラケット１５がエレベータ式の場合、旋回フレーム１１に対し可動式キャブ１４が上下方向にのみ移動可能である。キャブ支持ブラケット１５がリンク式の場合、旋回フレーム１１に対し可動式キャブ１４が上下方向（および前後方向）に移動可能である。キャブ支持ブラケット１５が前後スライド式の場合、可動式キャブ１４が旋回フレーム前後方向Ｙに移動可能である。キャブ支持ブラケット１５がチルト式の場合、旋回フレーム１１に対する可動式キャブ１４（の底面）の角度が可変であり、可動式キャブ１４の前端部が上下に移動可能である。キャブ支持ブラケット１５は、可動式キャブ１４が取り付けられる本体部１５ａと、基部１５ｂと、を備える。
【００１６】
基部１５ｂは、キャブ支持ブラケット１５の土台部分（ベース）である。基部１５ｂは、キャブ支持ブラケット１５の下端部（根本部、土台部）である。基部１５ｂは、旋回フレーム１１に固定される。
【００１７】
バッテリ１９は、作業機械１が備える各種電気機器の電源である。バッテリ１９の数は、複数であり、例えば２である。バッテリ１９の数は１でもよい。バッテリ１９は、長手方向を有する直方体である。
【００１８】
バッテリ搭載構造２０は、キャブ支持ブラケット１５の基部１５ｂの内側にバッテリ１９を搭載（格納）するための構造である。図３〜図６に示すように、バッテリ搭載構造２０は、枠部２１（後述）の内側にバッテリ１９を搭載するための構造である。図６および図７に示すように、バッテリ搭載構造２０は、引き出し式である。バッテリ搭載構造２０は、バッテリ１９をスライドおよび固定させるための構造である。図３に示すように、バッテリ搭載構造２０は、枠部２１（図３において二点鎖線で示す）と、バッテリ搭載装置２５と、を備える。
【００１９】
枠部２１は、図１に示すキャブ支持ブラケット１５の基部１５ｂに形成される、枠状（筒状）の部分である。図３に示すように、枠部２１は、枠底板２１ｂと、枠側板２１ｓと、枠天板２１ｔと、を備える。枠底板２１ｂは、旋回フレーム１１（図１参照）の一部である。枠底板２１ｂは、旋回フレーム１１とは別の板により構成されてもよい。枠側板２１ｓおよび枠天板２１ｔは、キャブ支持ブラケット１５の土台となるフレーム（板）である。
【００２０】
バッテリ搭載装置２５は、枠部２１に対して着脱可能に構成される（取り付けおよび取り外し可能に構成される）。バッテリ搭載装置２５は、バッテリ搭載装置２５の構成要素が組み立てられた状態で（サブアッセンの状態で）、枠部２１に対して着脱可能である。バッテリ搭載装置２５は、枠部２１の内側に配置される。バッテリ搭載装置２５は、ベース体３０と、スライド体４０と、バッテリ固定部材５０と、スライドパッド６０と、規制部およびストッパ類（７１〜９３）（図７〜図１０参照）と、を備える。
【００２１】
ベース体３０は、図６に示すように、スライド体４０が取り付けられる部材（スライドベース）である。ベース体３０は、枠部２１の底面（枠底板２１ｂの上面）に固定される。ベース体３０は、枠底板２１ｂに着脱可能に固定される。ベース体３０は、締結部材（例えばボルトおよびナット）により、枠底板２１ｂに締結される。図１１〜図１３に示すように、ベース体３０は、例えば略板状である。図１３に示すように、ベース体３０は、本体部３０ａと、奥側縦板３０ｂと、を備える。本体部３０ａは、枠底板２１ｂ（図６参照）と平行に配置される板である。奥側縦板３０ｂは、本体部３０ａの奥側Ｘ２（後述）端部から上に突出する板である。
【００２２】
スライド体４０は、図６に示すように、バッテリ１９が搭載される部分である。スライド体４０は、ベース体３０の上方（真上）に配置される。スライド体４０は、ベース体３０に対してスライド可能に構成される。スライド体４０は、旋回フレーム左右方向Ｘにスライド可能である。スライド体４０は、枠部２１の内側と外側との間でスライド可能である。さらに詳しくは、スライド体４０は、スライド体４０の少なくとも一部４０ａが枠部２１の内側に配置された状態と、図７に示すように上記「一部４０ａ」が枠部２１の外側に配置された状態と、の間でスライド可能である。スライド体４０は、図１６に示すトレー部４１と、取っ手４３と、図１４に示す上下規制部取付部４５と、跳上ストッパ取付部４７と、補強部４９と、を備える。
【００２３】
（方向）図３に示すように、スライド体４０がスライドする方向（旋回フレーム左右方向Ｘ）を、スライド方向Ｘとする。スライド方向Ｘにおいて、枠部２１の内側から外側に向かう側を手前側Ｘ１とし、枠部２１の外側から内側に向かう側を奥側Ｘ２とする。また、スライド方向Ｘから見た左右方向を幅方向Ｙとする。幅方向Ｙは、旋回フレーム前後方向Ｙと一致する。
（状態）スライド体４０の状態（位置）には、図６に示す格納状態と、図７に示す引出状態と、がある。図６に示す格納状態は、枠部２１に対してスライド体４０が格納された状態である。格納状態は、スライド体４０を最も奥側Ｘ２まで（突き当たるまで）スライドさせたときのスライド体４０の状態である。図７に示す引出状態は、枠部２１に対してスライド体４０が手前側Ｘ１に引き出された状態（格納状態よりも引き出された状態）である。引出状態は、バッテリ１９をメンテナンス（バッテリ液量等の確認等）するとき等の、スライド体４０の状態である。引出状態には、最大引出状態と、中間引出状態とが含まれる。最大引出状態は、スライド体４０を最も手前側Ｘ１まで（突き当たるまで）スライドさせたときのスライド体４０の状態である。中間引出状態は、格納状態（図６参照）よりも手前側Ｘ１かつ最大引出状態（図７参照）よりも奥側Ｘ２にスライド体４０が配置されたときの、スライド体４０の状態である。最大引出状態よりも手前側Ｘ１にスライド体４０が配置された状態は、「引出状態」には含まない。
【００２４】
トレー部４１は、図４〜図６に示すように、バッテリ１９が搭載される部分である（図４ではバッテリ１９を想像線（二点鎖線）で示す）。トレー部４１は、バッテリ１９を保持できるような形状を備える。トレー部４１の形状は、トレー状（蓋のない箱状）である。トレー部４１には、複数（例えば２つ）のバッテリ１９が搭載される。図４に示すように、トレー部４１に搭載されるバッテリ１９の長手方向は、スライド方向Ｘである。図５に示すように、トレー部４１には、複数のバッテリ１９が幅方向Ｙに並べて配置される（並列配置される）。トレー部４１には、複数のバッテリ１９がスライド方向Ｘに並べて配置（直列配置）されてもよい（図示なし）。図１４〜図１６に示すように、トレー部４１は、トレー底板４１ｂと、トレー手前板４１ｆと、トレー奥板４１ｒ（図１４および図１６参照）と、トレー側板４１ｓと、を備える。図１４に示すように、トレー底板４１ｂの中央部には、孔が形成される。この孔は、例えば長方形状である。図１５に示すように、トレー側板４１ｓは、トレー底板４１ｂの幅方向Ｙ両端それぞれから上に突出する。図１６に示すように、トレー手前板４１ｆは、トレー底板４１ｂの手前側Ｘ１端部から上に突出する。トレー奥板４１ｒは、トレー底板４１ｂの奥側Ｘ２端部から上に突出する。
【００２５】
このトレー部４１の幅方向Ｙの幅は、次のように構成される。図４に示すように、トレー部４１の幅方向Ｙの幅以内に（幅方向Ｙに収まるように、幅方向Ｙ外側にはみ出ないように）、スライド体４０の構成要素（トレー部４１を除く）が配置される。トレー部４１の幅方向Ｙの幅以内に、ベース体３０が配置される。トレー部４１の幅方向Ｙの幅以内に、規制部およびストッパ類（７１〜９３）（図７〜図１０参照）が配置される（但し、図１４に示す上下規制部締結部材７３をのぞく）。なお、トレー部４１の幅方向Ｙの略幅以内に、上下規制部締結部材７３（図１４参照）が配置されてもよい。また、規制部およびストッパ類（７１〜９３）（図７〜図１０参照）の一部が、トレー部４１の幅方向Ｙ外側にはみ出てもよい（後述）。
【００２６】
取っ手４３は、スライド体４０を手前側Ｘ１にスライドさせやすく（手で引っ張りやすく）するための部材である。取っ手４３は、トレー手前板４１ｆよりも手前側Ｘ１かつ上側に突出するように、トレー手前板４１ｆに固定される。
【００２７】
上下規制部取付部４５は、スライド側上下規制部７２（後述）が取り付けられる部分である。図８に示すように、上下規制部取付部４５は、スライド方向Ｘから見て左右に（幅方向Ｙに間隔をあけて）１つずつ（合計２つ）設けられる。２つの上下規制部取付部４５・４５それぞれは、例えばスライド方向Ｘから見てＬ字状である。上下規制部取付部４５、例えば、横板４５ａと、縦板４５ｂと、を備える。横板４５ａは、上下方向に直交する板である。上下方向に直交する板である点は、後述する他の「横板」についても同様である（図１３に示す横板７１ｂ、横板８１ａ、図１４に示す横板４７ａ、図１５に示す横板４９ａ、横板７２ｂ、および図１６に示す横板８２ｂ参照）。図８に示すように、縦板４５ｂは、横板４５ａの幅方向Ｙ外側端部から上に突出する。縦板４５ｂは、幅方向Ｙに直交する板である。図１４に示すように、上下規制部取付部４５は、トレー部４１の奥側Ｘ２部分（トレー奥板４１ｒ）に固定される。上下規制部取付部４５は、トレー部４１よりも奥側Ｘ２に配置される。上下規制部取付部４５は、トレー部４１の奥側Ｘ２部分（トレー奥板４１ｒ）から奥側Ｘ２に突出する。上下規制部取付部４５は、トレー部４１の幅方向Ｙ両端部に固定される。上下規制部取付部４５は、トレー部４１よりも（トレー側板４１ｓよりも）幅方向Ｙ内側のみに配置される。
【００２８】
跳上ストッパ取付部４７は、スライド側跳上ストッパ８６（後述）が取り付けられる部分である。跳上ストッパ取付部４７は、例えば長手方向が幅方向Ｙである棒状である。図１７に示すように、跳上ストッパ取付部４７は、例えば幅方向Ｙから見てＬ字状である。跳上ストッパ取付部４７は、例えば、横板４７ａと、縦板４７ｂと、を備える。縦板４７ｂは、スライド方向Ｘに直交する板である。縦板４７ｂは、横板４７ａの手前側Ｘ１端部から上に突出する。跳上ストッパ取付部４７は、上下規制部取付部４５を介して、トレー部４１の奥側Ｘ２部分（トレー奥板４１ｒ）に固定される。跳上ストッパ取付部４７は、トレー部４１よりも奥側Ｘ２に配置される。跳上ストッパ取付部４７は、トレー部４１の奥側Ｘ２部分（トレー奥板４１ｒ）との間にスライド方向Ｘの間隔をあけて配置される。図１４に示すように、跳上ストッパ取付部４７は、上下規制部取付部４５の奥側Ｘ２端部に固定される。跳上ストッパ取付部４７は、２つの上下規制部取付部４５・４５を連結する。跳上ストッパ取付部４７は、トレー部４１よりも（トレー側板４１ｓよりも）幅方向Ｙ内側のみに配置される。
【００２９】
補強部４９は、スライド体４０を補強するための部材である。補強部４９は、長手方向がスライド方向Ｘである。図１５に示すように、補強部４９は、例えばスライド方向Ｘから見て（略）Ｃ字状である。補強部４９は、例えば、横板４９ａと、縦板４９ｂと、を備える。縦板４９ｂは、幅方向Ｙに直交する板である。縦板４９ｂは、横板４５ａの幅方向Ｙ外側両端部から下に突出する。補強部４９は（横板４９ａは）、トレー部４１の下面（トレー底板４１ｂの下面）に固定される。補強部４９は（縦板４９ｂは）、トレー部４１から下に突出する。補強部４９は、スライド体４０の幅方向Ｙ中央部に配置される。補強部４９は（横板４９ａは）、図１４に示す跳上ストッパ取付部４７の下面（横板４７ａの下面）に固定される。補強部４９は、例えば後述するスライドパッド６０と同様に、トレー部４１の手前側Ｘ１部分（またはその近傍）から奥側Ｘ２部分（またはその近傍）にわたって配置される。
【００３０】
バッテリ固定部材５０は、図５に示すように、スライド体４０に（トレー部４１に）バッテリ１９を固定するための部材である（図３参照）。バッテリ固定部材５０は、バッテリ固定部材５０とトレー部４１（トレー底板４１ｂ）とでバッテリ１９を上下方向に挟み込めるように構成（配置および形成）される。バッテリ固定部材５０は、バッテリ固定プレート５１と、バッテリ固定ナット５２と、バッテリ固定ボルト５３と、を備える。また、図６に示すように、バッテリ固定部材５０には、バッテリ覆い部５４が取り付けられる。
【００３１】
バッテリ固定プレート５１は、図５に示すように、バッテリ１９の上面に接触するように配置される。バッテリ固定プレート５１は、複数（例えば２つ）のバッテリ１９の上面にまたがって配置される。図３に示すように、バッテリ固定プレート５１は、板部５１ａと、ボス部５１ｂと、を備える。図５に示すように、板部５１ａは、バッテリ１９の上面と接触する板である。図３に示すように、ボス部５１ｂは、板部５１ａから上に突出する。ボス部５１ｂは、締結部材（例えばボルト）によりバッテリ覆い部５４（図６参照）が固定される部分である。バッテリ固定ナット５２は、図１５に示すように、トレー底板４１ｂの下面に固定（例えば溶接）される。図５に示すように、バッテリ固定ボルト５３は、バッテリ固定プレート５１とバッテリ固定ナット５２とを締結する。図６に示すように、バッテリ覆い部５４は、バッテリ１９の上面（端子などがある部分）を覆う。バッテリ覆い部５４は、シート状（薄い板状である）。バッテリ覆い部５４は、絶縁部材（例えばゴム）で形成される。
【００３２】
スライドパッド６０は、図５に示すベース体３０に対するスライド体４０のスライド方向Ｘへのスライドを容易にするための部材である。スライドパッド６０は、例えば樹脂などにより形成される。スライドパッド６０は、ベース体３０（本体部３０ａ）とスライド体４０（トレー底板４１ｂなど）との間に配置される。スライドパッド６０が配置されることで、スライド体４０（トレー底板４１ｂなど）は、ベース体３０（本体部３０ａ）との間に上下方向の間隔をあけて配置される。図１５および図１６に示すように、スライドパッド６０は、例えば直方体状であり、例えば板状である（図１５および図１６では、スライドパッド６０を想像線（二点鎖線）で示した）。スライドパッド６０の長手方向はスライド方向Ｘである。図１５に示すように、スライドパッド６０は、スライド体４０の下面に固定される。スライドパッド６０は、補強部４９の（横板４９ａの）下面に固定される。スライドパッド６０は、図５に示すベース体３０には固定されない。なお、スライドパッド６０が、ベース体３０に固定され、かつ、スライド体４０に固定されなくてもよい。図１５に示すように、スライドパッド６０は、スライド体４０の幅方向Ｙ中央部に配置される。スライドパッド６０は、補強部４９の２枚の縦板４９ｂの間（幅方向Ｙ内側）に配置される。スライドパッド６０は、２枚の縦板４９ｂとの間に幅方向Ｙの間隔をあけて配置される。スライドパッド６０は、トレー部４１の手前側Ｘ１部分（またはその近傍）から奥側Ｘ２部分（またはその近傍）にわたって配置される。スライドパッド６０の手前側Ｘ１の端部は、例えばトレー部４１の手前側Ｘ１部分よりも手前側Ｘ１である。スライドパッド６０の奥側Ｘ２の端部は、例えば上から見て跳上ストッパ取付部４７と重なる位置であり、例えば跳上ストッパ取付部４７の手前側Ｘ１端部である。
【００３３】
規制部およびストッパ類（７１〜９３）（図７〜図１０参照）は、ベース体３０に対するスライド体４０の移動を規制するための部材である。規制部およびストッパ類（７１〜９３）には、図７に示す上下規制部（７１〜７３）と、図８に示す左右規制部（７５・７６）と、図１０に示す格納ストッパ（８１〜８３）と、図９に示す跳上ストッパ（８５〜８７）と、図１０に示す引出ストッパ（９１〜９３）と、がある。
【００３４】
上下規制部（７１〜７３）は、図７に示すベース体３０に対するスライド体４０の上への移動を規制する。上下規制部（７１〜７３）は、特に、引出状態のときに、スライド体４０の手前側Ｘ１部分が下がり、スライド体４０の奥側Ｘ２部分が上がることを抑制する。上下規制部（７１〜７３）は、ベース側上下規制部７１と、スライド側上下規制部７２と、上下規制部締結部材７３と、を備える。
【００３５】
ベース側上下規制部７１は、図１２に示すように、ベース体３０に固定される。ベース側上下規制部７１は、スライド方向Ｘから見て左右に（幅方向Ｙに間隔をあけて）１つずつ（合計２つ）設けられる。スライド方向Ｘから見て左右に１つずつ（合計２つ）設けられる点は、図８に示すスライド側上下規制部７２、ベース側左右規制部７５、スライド側左右規制部７６、スライド側引出ストッパ９２、図５に示すベース側格納ストッパ８１（ベース側引出ストッパ９１）、およびスライド側格納ストッパ８２についても同様である。図１３に示すように、ベース側上下規制部７１は、長手方向がスライド方向Ｘの棒状（レール状、上下規制レール）である。長手方向がスライド方向Ｘである点は、後述するベース側左右規制部７５、ベース側格納ストッパ８１（ベース側引出ストッパ９１）、図１５に示すスライド側左右規制部７６（スライドパッド６０の側面）、図１６に示すスライド側上下規制部７２、および図１８に示すスライド側引出ストッパ９２についても同様である。図１２に示すように、スライド方向Ｘから見て左右のベース側上下規制部７１・７１それぞれは、例えばスライド方向Ｘから見てＬ字状である。左右のベース側上下規制部７１・７１それぞれは、例えば、縦板７１ａと、横板７１ｂと、を備える。縦板７１ａは、ベース体３０（本体部３０ａ）の上面に固定され、幅方向Ｙに直交する板である。横板７１ｂは、縦板７１ａの上端部から幅方向Ｙ外側に突出する。
【００３６】
このベース側上下規制部７１は（縦板７１ａは）、ベース体３０から上に突出する。図８に示すように、ベース側上下規制部７１は、スライド体４０の下方に配置される。図７に示すように、ベース側上下規制部７１は、少なくともスライド体４０が引出状態のときに、スライド側上下規制部７２と接触する位置に配置される。ベース側上下規制部７１は、少なくともベース体３０の手前側Ｘ１部分に配置される。ベース側上下規制部７１は、スライド方向Ｘにおけるベース体３０の中央部よりも手前側Ｘ１部分に配置される。図１３に示すように、ベース側上下規制部７１は、ベース体３０の奥側Ｘ２部分（例えば奥側縦板３０ｂ）から手前側Ｘ１（例えば手前側Ｘ１端部）にわたって配置される。図８に示すように、ベース側上下規制部７１は、ベース体３０の幅方向Ｙ両端部に配置される。ベース側上下規制部７１は、幅方向Ｙにおけるベース体３０の幅以内に配置される。
【００３７】
スライド側上下規制部７２は、スライド体４０（上下規制部取付部４５の縦板４５ｂ）に固定される。スライド側上下規制部７２は、ベース側上下規制部７１にガイドされる部材（スライドガイド）である。スライド側上下規制部７２は、例えばスライド方向Ｘから見てＬ字状である。スライド側上下規制部７２は、例えば、縦板７２ａと、横板７２ｂと、を備える。縦板７２ａは、スライド体４０に固定され、幅方向Ｙに直交する板である。横板７２ｂは、縦板７２ａの下端部から幅方向Ｙ内側に突出する。スライド側上下規制部７２は（横板７２ｂは）、スライド体４０の（上下規制部取付部４５の、横板４５ａの）下方に配置される。図１４に示すように、スライド側上下規制部７２は、上下規制部取付部４５と同様に、トレー部４１よりも奥側Ｘ２に配置される。スライド側上下規制部７２は、トレー部４１の幅方向Ｙ両端部から奥側Ｘ２に突出するように配置される。
【００３８】
このスライド側上下規制部７２（横板７２ｂ）は、図８に示すように、スライド側上下規制部７２を上に移動させたときにベース側上下規制部７１（横板７１ｂ）に接触可能に配置される（この配置を［配置Ａ］とする）。具体的には、スライド側上下規制部７２（横板７２ｂ）は、ベース側上下規制部７１（横板７１ｂ）の下方に配置され、かつ、ベース側上下規制部７１（横板７１ｂ）に対向して（上下方向に対向して）配置される。スライド側上下規制部７２は、少なくともスライド体４０が引出状態（図７参照）のときに［配置Ａ］を満たす。スライド側上下規制部７２は、スライド体４０が格納状態（図６参照）のときに［配置Ａ］を満たしてもよい。スライド側上下規制部７２とベース側上下規制部７１とが対向する部分（横板７２ｂと横板７１ｂとが対向する部分）は、幅方向Ｙにおけるスライド体４０の幅以内に配置される。スライド側上下規制部７２の横板７２ｂと、ベース側上下規制部７１の横板７１ｂと、の間には、上下方向の隙間Ｓ１が設けられる。この隙間Ｓ１は、スライド体４０のスライド方向Ｘの移動を妨げないようにするために設けられる。
【００３９】
上下規制部締結部材７３は、スライド体４０に対して、上下方向に位置調整可能に、スライド側上下規制部７２を固定する。上下規制部締結部材７３は、上下規制部取付部４５（縦板４５ｂ）に対して、上下方向に位置調整可能に、スライド側上下規制部７２（縦板７２ａ）を締結により固定する。上下規制部締結部材７３は、例えばボルトおよびナットにより構成される。このボルトは、上下規制部取付部４５に（縦板４５ｂに）形成されたボルト孔、および、スライド側上下規制部７２に（縦板７２ａに）形成されたボルト孔に通される。これらのボルト孔のうち少なくとも一方は、上下方向に長い長孔、または、ボルトの軸部よりも径が大きい孔である。なお、上下規制部締結部材７３は、ベース体３０に対して上下方向に位置調整可能に、ベース側上下規制部７１（縦板７１ａ）を固定するように構成されてもよい（図示なし）。この場合、例えば、ベース体３０には、ベース側上下規制部７１（縦板７１ａ）を固定するための取付部（ブラケット）が設けられる（スライド側上下規制部７２を固定するための上下規制部取付部４５を参照）。
【００４０】
左右規制部（７５・７６）は、ベース体３０に対するスライド体４０の幅方向Ｙへの移動を規制する。左右規制部（７５・７６）は、ベース側左右規制部７５と、スライド側左右規制部７６と、を備える。
【００４１】
ベース側左右規制部７５は、ベース体３０に固定される。図１１に示すように、ベース側左右規制部７５は、上記のように長手方向がスライド方向Ｘであり、棒状（レール、左右規制レール）である。図８に示すように、左右のベース側左右規制部７５・７５のうち、左側をベース側左右規制部７５Ｌとし、右側をベース側左右規制部７５Ｒとする。ベース側左右規制部７５・７５（７５Ｌ・７５Ｒ）それぞれは、例えば、幅方向Ｙに直交する板（縦板）である。ベース側左右規制部７５は、ベース体３０の（本体部３０ａの）上面に固定される。ベース側左右規制部７５は、ベース体３０（本体部３０ａ）から上に突出する。ベース側左右規制部７５は、スライド体４０の（補強部４９の）下方に配置される。図１１に示すように、ベース側左右規制部７５は、ベース体３０の手前側Ｘ１部分から奥側Ｘ２部分にわたって配置される。図８に示すように、ベース側左右規制部７５は、補強部４９の縦板４９ｂよりも幅方向Ｙ内側に配置される。ベース側左右規制部７５は、スライドパッド６０よりも（スライド側左右規制部７６よりも）幅方向Ｙ外側に配置される。
【００４２】
スライド側左右規制部７６は、スライド体４０に固定される。スライド側左右規制部７６は、スライド体４０の（補強部４９の）下面に固定される。スライド側左右規制部７６は、スライドパッド６０の側面（幅方向Ｙ両端の面）である。スライド側左右規制部７６は、スライドパッド６０とは別に設けられてもよい。スライド方向Ｘから見て左右のスライド側左右規制部７６・７６のうち、左側をスライド側左右規制部７６Ｌとし、右側をスライド側左右規制部７６Ｒとする。図１４に示すように、スライド側左右規制部７６は、スライド体４０の手前側Ｘ１部分から奥側Ｘ２部分にわたって設けられる。
【００４３】
このスライド側左右規制部７６は、図８に示すベース体３０に対してスライド体４０を幅方向Ｙに移動させたときに、ベース側左右規制部７５に接触可能に配置される。具体的には、スライド側左右規制部７６は、スライド方向Ｘから見てベース側左右規制部７５の左および右に配置され、かつ、ベース側左右規制部７５に対向して（幅方向Ｙに対向して）配置される。さらに具体的には、スライド側左右規制部７６Ｌはベース側左右規制部７５Ｌの右側に対向して配置され、スライド側左右規制部７６Ｒはベース側左右規制部７５Ｒの左側に対向して配置される。スライド側左右規制部７６とベース側左右規制部７５とが対向する部分は、幅方向Ｙにおけるスライド体４０の幅以内に配置される。スライド側左右規制部７６は、ベース側左右規制部７５との間に隙間をあけて配置される（スライド体４０のスライド方向Ｘの移動を妨げないようにするため）。左右のベース側左右規制部７５Ｌ・７５Ｒの幅方向Ｙの間隔よりも、スライドパッド６０の幅（幅方向Ｙの長さ）は短い。
【００４４】
格納ストッパ（８１〜８３）は、図１０に示すように、スライド体４０を格納状態に保持するための部材である。格納ストッパ（８１〜８３）は、格納状態のスライド体４０をベース体３０に固定する。格納ストッパ（８１〜８３）は、ベース側格納ストッパ８１と、スライド側格納ストッパ８２と、格納ストッパ締結部材８３と、を備える。
【００４５】
ベース側格納ストッパ８１は、図１３に示すように、ベース体３０に固定される。スライド方向Ｘから見て左右のベース側格納ストッパ８１・８１それぞれ（図５参照）は、例えば幅方向Ｙから見てＬ字状である。左右のベース側格納ストッパ８１・８１それぞれは、例えば、横板８１ａと、縦板８１ｂと、を備える。横板８１ａは、ベース体３０（本体部３０ａ）の上面に固定される板である。縦板８１ｂは、スライド方向Ｘに直交する板である。縦板８１ｂは、横板８１ａの手前側Ｘ１端部から上に突出する。ベース側格納ストッパ８１は（縦板８１ｂは）、ベース体３０から上に突出する。図１０に示すように、ベース側格納ストッパ８１は（縦板８１ｂは）、スライド体４０が格納状態のときのスライド体４０の手前側Ｘ１部分（トレー部４１のトレー手前板４１ｆ）の近傍に配置される。ベース側格納ストッパ８１は（縦板８１ｂは）、スライド体４０が格納状態のときのトレー手前板４１ｆよりも手前側Ｘ１に配置される。図５に示すように、ベース側格納ストッパ８１は、補強部４９（図８参照）よりも幅方向Ｙ外側に配置される。ベース側格納ストッパ８１は、ベース側上下規制部７１（図８参照）よりも幅方向Ｙ内側に配置される。
【００４６】
スライド側格納ストッパ８２は、図１６に示すように、スライド体４０に固定される。スライド方向Ｘから見て左右のスライド側格納ストッパ８２・８２それぞれ（図５参照）は、例えば幅方向Ｙから見て略Ｓ字状である。左右のスライド側格納ストッパ８２・８２それぞれは、例えば、スライド体取付板８２ａと、横板８２ｂと、縦板８２ｃと、を備える。スライド体取付板８２ａは、スライド体４０に取り付けられる板である。スライド体４０は、スライド方向Ｘに直交する板である。横板８２ｂは、スライド体取付板８２ａの下端部から手前側Ｘ１に突出する板である。縦板８２ｃは、横板８２ｂの手前側Ｘ１端部から下に突出する。縦板８２ｃは、スライド方向Ｘに直交する板である。スライド側格納ストッパ８２は（縦板８２ｃは）、スライド体４０よりも（トレー部４１よりも、トレー底板４１ｂよりも）下に突出する。図１０に示すように、スライド側格納ストッパ８２（縦板８２ｃ）は、スライド体４０が格納状態のとき、ベース側格納ストッパ８１（縦板８１ｂ）と接触可能に配置される。スライド側格納ストッパ８２（縦板８２ｃ）は、ベース側格納ストッパ８１（縦板８１ｂ）よりも手前側Ｘ１に配置される。スライド側格納ストッパ８２は、スライド体４０の手前側Ｘ１から格納ストッパ締結部材８３（図５参照）の締結作業が容易にできるような位置に配置される。具体的には、図１６に示すように、スライド側格納ストッパ８２（スライド体取付板８２ａ）は、スライド体４０の手前側Ｘ１部分（トレー手前板４１ｆ）に固定される。スライド側格納ストッパ８２（縦板８２ｃ）は、トレー部４１（トレー手前板４１ｆ）よりも手前側Ｘ１に配置される。
【００４７】
格納ストッパ締結部材８３は、図１０に示すように、スライド体４０が格納状態のとき、ベース側格納ストッパ８１（縦板８１ｂ）とスライド側格納ストッパ８２（縦板８２ｃ）とを固定する。格納ストッパ締結部材８３は、ボルトおよびナットにより構成される。このボルトは、ベース側格納ストッパ８１（縦板８１ｂ）およびスライド側格納ストッパ８２（縦板８２ｃ）に形成されたボルト孔に通される。このボルトは、スライド側格納ストッパ８２の手前側Ｘ１からボルト孔に差し込まれる。格納ストッパ締結部材８３を構成するナットは、例えばベース側格納ストッパ８１の縦板８１ｂの奥側Ｘ２の面に溶接される。
【００４８】
跳上ストッパ（８５〜８７）は、図９に示すように、スライド体４０が格納状態のときに、スライド体４０の奥側Ｘ２部分が上に跳ね上がるのを防ぐための部材である。跳上ストッパ（８５〜８７）は、ベース側跳上ストッパ８５と、スライド側跳上ストッパ８６と、図１７に示す跳上ストッパ締結部材８７と、を備える。
【００４９】
ベース側跳上ストッパ８５は、図１３に示すように、ベース体３０に固定される。ベース側跳上ストッパ８５は、例えば幅方向Ｙから見てＬ字状などである。ベース側跳上ストッパ８５は、ベース体３０の本体部３０ａよりも上に配置される。ベース側跳上ストッパ８５は、ベース体３０に（奥側縦板３０ｂに）固定される。ベース側跳上ストッパ８５は、奥側縦板３０ｂから手前側Ｘ１に突出する。図１２に示すように、ベース側跳上ストッパ８５は、ベース体３０の幅方向Ｙ中央部に配置される。図１３に示すように、ベース側跳上ストッパ８５は、傾斜部８５ａと、支持部８５ｂと、を備える。
【００５０】
傾斜部８５ａは、スライド体４０を引出状態（図７参照）から格納状態（図６参照）にしたときに、図９に示すように、ベース側跳上ストッパ８５の下方にスライド側跳上ストッパ８６が確実に配置されるようにするための部分である。傾斜部８５ａは、奥側Ｘ２向きかつ下向きに傾斜する。傾斜部８５ａは、手前側Ｘ１から奥側Ｘ２になるに従って、表面の位置が下になるように傾斜する。傾斜部８５ａは、例えば板状である。傾斜部８５ａの奥側Ｘ２端部は、ベース体３０の奥側縦板３０ｂに固定される。
【００５１】
支持部８５ｂは、奥側縦板３０ｂに対して傾斜部８５ａを支持する板である。支持部８５ｂは、傾斜部８５ａの手前側Ｘ１端部と、奥側縦板３０ｂとを連結する。支持部８５ｂは、例えば板状である。支持部８５ｂは、奥側Ｘ２向きかつ上向きに傾斜する。
【００５２】
スライド側跳上ストッパ８６は、図１７に示すように、スライド体４０に固定される。スライド側跳上ストッパ８６は、傾斜部８６ａを備える（詳細は後述）。図１４に示すように、スライド側跳上ストッパ８６は、スライド体４０の幅方向Ｙ中央部に配置される。スライド側跳上ストッパ８６は、スライド体４０の奥側Ｘ２部分（跳上ストッパ取付部４７）に固定される。図９に示すように、スライド側跳上ストッパ８６（傾斜部８６ａ）は、スライド体４０の奥側Ｘ２部分が上に移動したときにベース側跳上ストッパ８５（傾斜部８５ａ）と接触可能な位置に配置される（この配置を［配置Ｂ］とする）。具体的には、スライド体４０が格納状態のとき、スライド側跳上ストッパ８６（傾斜部８６ａ）は、ベース側跳上ストッパ８５の（傾斜部８５ａの）下方に配置され、かつ、ベース側跳上ストッパ８５（傾斜部８５ａ）に対向して（上下方向に対向して）配置される。スライド側跳上ストッパ８６は、スライド体４０が格納状態のときに上記［配置Ｂ］を満たす。
【００５３】
傾斜部８６ａは、スライド体４０が格納状態のときにベース側跳上ストッパ８５と（傾斜部８５ａと）接触可能な部分である。傾斜部８６ａは、ベース側跳上ストッパ８５の傾斜部８５ａと同様に、奥側Ｘ２向きかつ下向きに傾斜する。傾斜部８６ａは、手前側Ｘ１から奥側Ｘ２になるに従って、表面の位置が下になるように傾斜する。傾斜部８６ａは、跳上ストッパ締結部材８７のネジ部８７ａの螺進および螺退を行っても、上記の傾斜を備え続けるように構成される。具体的には、スライド側跳上ストッパ８６は、半球状（球の上半分のみ存在する半球）（略半球状を含む）である。スライド側跳上ストッパ８６は、下から上になるに従って径が細くなる、円錐状や円錐台状などでもよい。傾斜部８６ａの表面は、例えば弾性部材（ゴムなど）により形成される。
【００５４】
跳上ストッパ締結部材８７は、図１７に示すスライド体４０に対して上下方向に位置調整可能にスライド側跳上ストッパ８６を固定する部分である。跳上ストッパ締結部材８７は、例えば、ネジ部８７ａ（ボルト）と、跳上ストッパ取付部４７に設けられたナット８７ｂと、で構成される。跳上ストッパ締結部材８７は、スライド体４０が格納状態のときに次の［調整Ａ１］および［調整Ａ２］の少なくとも一方の調整を行えるように構成される。［調整Ａ１］図９に示すスライド側跳上ストッパ８６（傾斜部８６ａ）がベース側跳上ストッパ８５（傾斜部８５ａ）を上側および奥側Ｘ２に押す力の大きさの調整。［調整Ａ２］ベース側跳上ストッパ８５（傾斜部８５ａ）とスライド側跳上ストッパ８６（傾斜部８６ａ）との、上下方向およびスライド方向Ｘの隙間の大きさの調整。
【００５５】
ネジ部８７ａは、跳上ストッパ取付部４７に（ナット８７ｂに）対して、螺進および螺退する。その結果、スライド体４０に対してスライド側跳上ストッパ８６が上下に移動する。ネジ部８７ａは、スライド側跳上ストッパ８６と一体的に構成される。一体的に構成されたネジ部８７ａおよびスライド側跳上ストッパ８６は、ボルト状である。ネジ部８７ａは、スライド側跳上ストッパ８６から下に突出する。なお、跳上ストッパ締結部材８７は、スライド側跳上ストッパ８６とは別体でもよい。また、跳上ストッパ締結部材８７は、ベース体３０に対して上下方向に位置調整可能にベース側跳上ストッパ８５を締結するものでもよい（図示なし）（上下方向に位置調整可能な構成については、例えば、図８に示すスライド側上下規制部７２の上下規制部取付部４５への取り付けの構成を参照）。また、図１７に示すベース体３０に対するベース側跳上ストッパ８５の上下方向の位置と、スライド体４０に対するスライド側跳上ストッパ８６の上下方向の位置と、の両方が跳上ストッパ締結部材８７により調整可能に構成されてもよい。
【００５６】
引出ストッパ（９１〜９３）は、図１０に示すように、スライド体４０が引出状態のときに（二点鎖線で示すスライド体４０参照）、スライド体４０がベース体３０から脱落することを防ぐ。引出ストッパ（９１〜９３）は、スライド体４０の手前側Ｘ１への引き出し過ぎによる脱落を防止する、脱落防止ストッパである。引出ストッパ（９１〜９３）は、ベース側引出ストッパ９１と、スライド側引出ストッパ９２と、脱落防止締結部材９３と、を備える。
【００５７】
ベース側引出ストッパ９１は、ベース体３０に固定される。ベース側引出ストッパ９１は、ベース側格納ストッパ８１と兼用される。ベース側格納ストッパ８１とベース側引出ストッパ９１とが兼用された場合、部品数を削減できる。なお、ベース側引出ストッパ９１は、ベース側格納ストッパ８１とは別に設けられてもよい。
【００５８】
スライド側引出ストッパ９２は、図１８に示すように、スライド体４０に固定される。スライド方向Ｘから見て左右のスライド側引出ストッパ９２・９２それぞれ（図８参照）は、例えば幅方向Ｙに直交する板状である。左右のスライド側引出ストッパ９２・９２それぞれは、例えば、取付部９２ａと、突出部９２ｂと、を備える。取付部９２ａは、スライド体４０に固定される部分である。突出部９２ｂは、取付部９２ａから下に突出する。突出部９２ｂは、取付部９２ａよりも手前側Ｘ１に突出する（手前側Ｘ１に突出しなくてもよい）。スライド側引出ストッパ９２（取付部９２ａ）は、スライド体４０の奥側部分に配置される。スライド側引出ストッパ９２（取付部９２ａ）は、トレー部４１の奥側Ｘ２部分（トレー奥板４１ｒ）に固定される。スライド側引出ストッパ９２（取付部９２ａ）は、トレー奥板４１ｒと跳上ストッパ取付部４７との間に固定される。
【００５９】
このスライド側引出ストッパ９２は、図１０に示すように、スライド体４０が引出状態のときにベース側引出ストッパ９１に接触可能に配置される（図１０では、スライド体４０が引出状態のときのスライド側引出ストッパ９２などを二点鎖線で示す）。具体的には、スライド側引出ストッパ９２（突出部９２ｂ）は、ベース側引出ストッパ９１（縦板８１ｂ）よりも奥側Ｘ２に配置され、かつ、ベース側引出ストッパ９１に（縦板８１ｂ）に対向して（スライド方向Ｘに対向して）配置される。スライド側引出ストッパ９２（突出部９２ｂ）は、スライド体４０の下面から下に突出する。スライド側引出ストッパ９２（突出部９２ｂ）は、トレー部４１のトレー底板４１ｂの下面よりも下に突出する。図８に示すように、スライド側引出ストッパ９２は、補強部４９や左右規制部（７５・７６）よりも幅方向Ｙ外側に配置される。スライド側引出ストッパ９２は、上下規制部（７１〜７３）よりも幅方向Ｙ内側に配置される。
【００６０】
脱落防止締結部材９３は、図１３に示すように、ベース体３０に着脱可能にベース側引出ストッパ９１を固定する。脱落防止締結部材９３は、ベース体３０からスライド体４０（図１０参照）を取り外し可能とするための部材である。脱落防止締結部材９３は、ボルトおよびナットにより構成される。このボルトは、ベース体３０（本体部３０ａ）およびベース側引出ストッパ９１（横板８１ａ）に形成されたボルト孔に通される。このボルトは、ベース体３０の下からボルト孔に通される。脱落防止締結部材９３を構成するナットは、ベース側引出ストッパ９１の横板８１ａの上面に固定（例えば溶接により固定）される。
【００６１】
（動作）
ベース体３０に対するスライド体４０の移動の規制などは、次のように行われる。
【００６２】
（中間引出状態）
スライド体４０が中間引出状態のとき、次の［規制Ａ］および［規制Ｂ］が行われる。
［規制Ａ］図７に示すように、上下規制部（７１〜７３）は、引出状態のスライド体４０の上への移動を規制する。この動作の詳細は次の通りである。スライド体４０を手前側Ｘ１に引き出すと、バッテリ１９の自重により、スライド体４０の手前側Ｘ１部分が下に下がり、奥側Ｘ２部分が上に上がろうとする。このとき、スライド側上下規制部７２の横板７２ｂの上面が、ベース側上下規制部７１の横板７１ｂの下面に接触する。その結果、スライド体４０の奥側Ｘ２部分の上への移動が規制される。
［規制Ｂ］図８に示すように、左右規制部（７５・７６）は、スライド体４０の幅方向Ｙへの移動を規制する。具体的には、スライド体４０が幅方向Ｙに移動しようとすると、ベース側左右規制部７５Ｌとスライド側左右規制部７６Ｌとが接触する、または、ベース側左右規制部７５Ｒとスライド側左右規制部７６Ｒとが接触する。
【００６３】
（最大引出状態）
スライド体４０が最大引出状態のとき、上記［規制Ａ］および［規制Ｂ］が行われ、さらに、次の［規制Ｃ］が行われる。
［規制Ｃ］図１０に示すように、引出ストッパ（９１〜９３）は、引出状態のスライド体４０の手前側Ｘ１への移動を規制する。具体的には、スライド体４０を手前側Ｘ１に引き出すと、ベース側引出ストッパ９１の縦板８１ｂの奥側Ｘ２の面と、スライド側引出ストッパ９２の突出部９２ｂの手前側Ｘ１端部と、が接触する。
［規制Ｃの解除］上記［規制Ｃ］は、次のように解除される。脱落防止締結部材９３が、ベース体３０およびベース側引出ストッパ９１から取り外される。そして、ベース側引出ストッパ９１が、ベース体３０から取り外される。その結果、スライド体４０は最大引出状態よりも手前側Ｘ１に移動可能となる。その結果、ベース体３０からスライド体４０を手前側Ｘ１に引き出して取り外すことが可能となる。
【００６４】
（格納状態）
スライド体４０が格納状態のとき、上記［規制Ｂ］が行われ、さらに、次の［規制Ｄ］〜［規制Ｆ］が行われる。
［規制Ｄ］図９に示すように、跳上ストッパ（８５〜８７）は、スライド体４０の奥側Ｘ２への移動を規制し、かつ、スライド体４０の奥側Ｘ２部分の上への移動を規制する。この規制の詳細は次の通りである。スライド体４０を奥側Ｘ２に移動させると、スライド側跳上ストッパ８６（傾斜部８６ａ）は、ベース側跳上ストッパ８５（傾斜部８５ａ）の下かつ手前側Ｘ１に配置される。また、スライド側跳上ストッパ８６（傾斜部８６ａ）は、ベース側跳上ストッパ８５（傾斜部８５ａ）に接触する。その結果、スライド体４０の奥側Ｘ２および上への移動が規制される。
［規制Ｅ］図１０に示すように、ベース側格納ストッパ８１およびスライド側格納ストッパ８２は、格納状態のスライド体４０の奥側Ｘ２への移動を規制する。具体的には、スライド体４０を奥側Ｘ２に移動させるとベース側格納ストッパ８１の縦板８１ｂの手前側Ｘ１の面と、スライド側格納ストッパ８２の縦板８２ｃの奥側Ｘ２の面と、が接触する。
［規制Ｆ］格納ストッパ（８１〜８３）は、格納状態のスライド体４０の手前側Ｘ１部分をベース体３０に固定する。具体的には、ベース側格納ストッパ８１の縦板８１ｂとスライド側格納ストッパ８２の縦板８２ｃとが重ねられ（接触させられ）、これらが格納ストッパ締結部材８３により締結される。
【００６５】
（バッテリ搭載構造２０の着脱）
図６に示す枠部２１からのバッテリ搭載装置２５の取り外しは、次のように行われる。ベース体３０（本体部３０ａ）と枠部２１（枠底板２１ｂ）とを固定する締結部材（ボルト）が取り外される。そして、バッテリ搭載装置２５が枠部２１から手前側Ｘ１に引き出される。このとき、ベース体３０には、スライド体４０、スライドパッド６０（図７参照）、規制部およびストッパ類（７１〜９３）（図７〜図１０参照）が取り付けられた状態である（サブアッセンの状態である）。そして、バッテリ搭載装置２５が枠部２１から取り外された状態で、バッテリ搭載装置２５の調整が行われる。この調整には、図８に示す隙間Ｓ１の大きさの調整がある。また、この調整には、図９に示すスライド側跳上ストッパ８６のスライド体４０に対する上下方向の位置の調整などがある。
【００６６】
（効果１）
図１に示す作業機械１のバッテリ搭載構造２０による効果を説明する。バッテリ搭載構造２０は、枠部２１と、図３に示すベース体３０と、スライド体４０と、を備える。
［構成１−１］ベース体３０は、枠部２１の内側に配置されるとともに、枠底板２１ｂ（枠部２１の底面）に着脱可能に固定される。
［構成１−２］スライド体４０は、ベース体３０の上方に配置されるとともに、バッテリ１９（図５参照）が搭載される。
［構成１−３］スライド体４０は、ベース体３０に対してスライド可能に構成される。
［構成１−４］スライド体４０は、図６に示すようにスライド体４０の少なくとも一部４０ａが枠部２１の内側に配置された状態と、図７に示すように一部４０ａが枠部２１の外側に配置された状態と、の間でスライド可能に構成される。
【００６７】
バッテリ搭載構造２０（図１参照、以下バッテリ搭載構造２０について同様）は、上記［構成１−４］を備える。よって、図７に示すように、スライド体４０に搭載されたバッテリ１９を、枠部２１の内側から外側に容易に引き出せる。その結果、作業者は、バッテリ１９のメンテナンスを容易に行える。
【００６８】
図６に示すベース体３０は、枠底板２１ｂに対して着脱可能である（上記［構成１−１］参照）。また、スライド体４０は、ベース体３０の上方に配置される（上記［構成１−２］参照）。よって、ベース体３０の上方にスライド体４０が配置された状態（ベース体３０とスライド体４０とが組み立てられた状態）のままで、ベース体３０およびスライド体４０を枠部２１から取り外せる。ベース体３０およびスライド体４０を枠部２１から取り外した場合、ベース体３０、スライド体４０、およびこれらに取り付けられた部材（規制部およびストッパ類（７１〜９３）（図７〜図１０参照）など）のメンテナンスや調整を容易に行える。すなわちバッテリ搭載構造２０の構成部品のメンテナンスや調整を容易に行える。
【００６９】
（効果２）
［構成２−１］図７に示すように、バッテリ搭載構造２０は、ベース体３０体に固定されるベース側上下規制部７１と、スライド体４０に固定されるスライド側上下規制部７２と、を備える。
［構成２−２］スライド側上下規制部７２は、枠部２１に対してスライド体４０が引き出された引出状態のとき、図８に示すように、ベース側上下規制部７１の下方に配置されるとともにベース側上下規制部７１に対向して配置される。
【００７０】
バッテリ搭載構造２０は、上記［構成２−１］を備える。よって、ベース側上下規制部７１やスライド側上下規制部７２は、枠部２１（図３参照）に固定される必要がない。よって、ベース側上下規制部７１に対するスライド側上下規制部７２の位置の設定（例えば隙間Ｓ１の大きさなど）を、枠部２１（図３参照）の製缶上の製作誤差と無関係に行える。
【００７１】
バッテリ搭載構造２０は、上記［構成２−２］を備える。よって、図７に示す引出状態のスライド体４０が上に移動しようとしたとき、スライド側上下規制部７２がベース側上下規制部７１に接触する。よって、引出状態のスライド体４０の上への移動を規制できる。
【００７２】
（効果３）
［構成３］図８に示すように、バッテリ搭載構造２０は、スライド体４０に対して上下方向に位置調整可能にスライド側上下規制部７２を固定する上下規制部締結部材７３を備える。
［構成３’］上下規制部締結部材７３は、ベース体３０に対して上下方向に位置調整可能にベース側上下規制部７１を固定してもよい（図示なし）。
【００７３】
バッテリ搭載構造２０は、上記［構成３］および［構成３’］の少なくとも一方を備える。よって、ベース側上下規制部７１とスライド側上下規制部７２との隙間Ｓ１の大きさを調整（管理）できる。隙間Ｓ１が適切な大きさに設定された場合は、引出状態のスライド体４０の上への移動を規制しつつ（上記（効果２）参照）、スライド体４０のスライド（スライド方向Ｘへの移動）を阻害しないようにできる。
【００７４】
バッテリ搭載構造２０は、上記［構成３］および［構成３’］の少なくとも一方を備える。さらに、上記のように、図６に示すベース体３０およびスライド体４０は、枠部２１に対して取り外すことが可能である（上記［構成１−１］および［構成１−２］参照）。よって、作業者は、ベース体３０およびスライド体４０を枠部２１から取り外した状態で、上記の隙間Ｓ１（図８参照）の大きさの調整を容易に行える。
【００７５】
（効果４）
［構成４−１］図８に示すように、スライド体４０は、ベース体３０との間に上下方向の間隔をあけて配置される。
［構成４−２］ベース側上下規制部７１とスライド側上下規制部７２とが対向する部分は、スライド体４０の下方に配置される。
［構成４−３］ベース側上下規制部７１とスライド側上下規制部７２とが対向する部分は、幅方向Ｙにおけるスライド体４０の幅以内に配置される。
【００７６】
バッテリ搭載構造２０は、上記［構成４−３］を備える。よって、ベース側上下規制部７１およびスライド側上下規制部７２を備える構成であっても、枠部２１（図１参照）の旋回フレーム前後方向Ｙの幅を広げる必要がない。よって、バッテリ搭載構造２０の旋回フレーム前後方向Ｙの幅を抑制できる。
【００７７】
（効果５）
図１４に示すように、スライド体４０は、バッテリ１９（図６参照）が搭載されるトレー部４１と、スライド側上下規制部７２が取り付けられる上下規制部取付部４５と、を備える。
［構成５−１］上下規制部取付部４５は、トレー部４１の奥側Ｘ２部分に固定される。
［構成５−２］スライド側上下規制部７２は、幅方向Ｙにおけるトレー部４１の幅以内に配置される。
【００７８】
上記［構成５−２］により、スライド側上下規制部７２を備える構成であっても、図１に示す枠部２１の旋回フレーム前後方向Ｙの幅を広げる必要がない。さらに、バッテリ搭載構造２０は、上記［構成５−１］を備える。よって、図１４に示すトレー部４１とスライド側上下規制部７２とが干渉しないようにスライド側上下規制部７２を配置しつつ、上記［構成５−２］の配置を実現できる。
【００７９】
（効果６）
［構成６−１］図８に示すように、バッテリ搭載構造２０は、ベース体３０に固定されるベース側左右規制部７５と、スライド体４０に固定されるスライド側左右規制部７６と、を備える。
［構成６−２］スライド側左右規制部７６は、スライド方向Ｘから見てベース側左右規制部７５の左右に配置されるとともにベース側左右規制部７５に対向して配置される。
【００８０】
バッテリ搭載構造２０は、上記［構成６−１］を備える。よって、ベース側左右規制部７５やスライド側左右規制部７６は、枠部２１（図３参照）に固定される必要がない。よって、ベース側左右規制部７５に対するスライド側左右規制部７６の位置の設定を、枠部２１（図３参照）の製缶上の製作誤差と無関係に行える。
【００８１】
バッテリ搭載構造２０は、上記［構成６−２］を備える。よって、スライド体４０が幅方向Ｙに移動しようとしたとき、スライド側左右規制部７６は、ベース側左右規制部７５に接触する。よって、スライド体４０の幅方向Ｙの移動を規制できる。
【００８２】
（効果７）
［構成７−１］図８に示すように、スライド体４０は、ベース体３０との間に上下方向の間隔をあけて配置される。
［構成７−２］ベース側左右規制部７５とスライド側左右規制部７６とが対向する部分は、スライド体４０の下方に配置される。
［構成７−３］ベース側左右規制部７５とスライド側左右規制部７６とが対向する部分は、幅方向Ｙにおけるスライド体４０の幅以内に配置される。
【００８３】
バッテリ搭載構造２０は、上記［構成７−３］を備える。よって、ベース側左右規制部７５およびスライド側左右規制部７６を備える構成であっても、枠部２１（図１参照）の旋回フレーム前後方向Ｙの幅を広げる必要がない。よって、バッテリ搭載構造２０の旋回フレーム前後方向Ｙの幅を抑制できる。
【００８４】
（効果８）
［構成８］バッテリ搭載構造２０は、ベース体３０とスライド体４０との間に配置されるスライドパッド６０を備える。
【００８５】
バッテリ搭載構造２０は、上記［構成８］を備える。また、上記［構成４−１］および［構成７−１］では、ベース体３０とスライド体４０との間に上下方向の間隔がある。よって、スライドパッド６０により、スライド体４０のスライド方向Ｘのスライドを容易にするだけでなく、上記間隔をあけることもできる。
【００８６】
（効果９）
［構成９−１］図１０に示すように、バッテリ搭載構造２０は、ベース体３０に固定されるベース側格納ストッパ８１と、スライド体４０に固定されるスライド側格納ストッパ８２と、格納ストッパ締結部材８３と、を備える。
［構成９−２］スライド側格納ストッパ８２は、スライド体４０の手前側Ｘ１部分に固定される。
［構成９−３］格納ストッパ締結部材８３は、枠部２１（図６参照）に対してスライド体４０が格納された格納状態のとき、ベース側格納ストッパ８１とスライド側格納ストッパ８２とを固定する。
【００８７】
バッテリ搭載構造２０は、上記［構成９−１］および［構成９−３］を備える。よって、スライド体４０を格納状態に保持できる。
【００８８】
バッテリ搭載構造２０は、上記［構成９−２］を備える。よって、作業者は、格納ストッパ締結部材８３の締結を、スライド体４０の手前側Ｘ１から容易に行える。
【００８９】
（効果１０）
［構成１０−１］図９に示すように、バッテリ搭載構造２０は、ベース体３０に固定されるベース側跳上ストッパ８５と、スライド体４０に固定されるスライド側跳上ストッパ８６と、を備える。
［構成１０−２］スライド側跳上ストッパ８６は、スライド体４０の奥側Ｘ２部分に固定される。
［構成１０−３］スライド側跳上ストッパ８６は、枠部２１（図６参照）に対してスライド体４０が格納された格納状態のとき、ベース側跳上ストッパ８５の下方に配置されるとともにベース側跳上ストッパ８５に対向して配置される。
【００９０】
バッテリ搭載構造２０は、上記［構成１０−１］を備える。よって、ベース側跳上ストッパ８５やスライド側跳上ストッパ８６は、枠部２１（図３参照）に固定される必要がない。ベース側跳上ストッパ８５に対するスライド側跳上ストッパ８６の位置の設定を、枠部２１（図３参照）の製缶上の製作誤差と無関係に行える。
【００９１】
バッテリ搭載構造２０は、［構成１０−２］および［構成１０−３］を備える。よって、格納状態になったとき、または、格納状態のスライド体４０の奥側Ｘ２部分が上に上がろうとしたとき、スライド側跳上ストッパ８６はベース側跳上ストッパ８５に接触する。よって、スライド体４０の奥側Ｘ２部分の上への移動（跳ね上げ）を規制できる。
【００９２】
（効果１１）
［構成１１］バッテリ搭載構造２０は、スライド体４０に対して上下方向に位置調整可能にスライド側跳上ストッパ８６を固定する跳上ストッパ締結部材８７を備える。
［構成１１’］跳上ストッパ締結部材８７は、ベース体３０に対して上下方向に位置調整可能にベース側跳上ストッパ８５を固定してもよい（図示なし）。
【００９３】
バッテリ搭載構造２０は、上記［構成１１］および［構成１１’］の少なくとも一方を備える。よって、スライド体４０が格納状態のときの、スライド側跳上ストッパ８６がベース側跳上ストッパ８５を上に押す力を調整できる。または、スライド体４０が格納状態のときの、スライド側跳上ストッパ８６とベース側跳上ストッパ８５との上下方向の隙間の大きさを調整できる。その結果、格納状態のスライド体４０の奥側Ｘ２部分の跳ね上げの規制の度合いを調整できる（この調整を［調整α］とする）。
【００９４】
バッテリ搭載構造２０は、上記［構成１１］および［構成１１’］の少なくとも一方を備える。さらに、上記のように、ベース体３０およびスライド体４０は、枠部２１（図３参照）に対して取り外すことが可能である（上記［構成１−１］および［構成１−２］参照）。よって、作業者は、ベース体３０およびスライド体４０を枠部２１（図３参照）から取り外した状態で、上記調整αを容易に行える。
【００９５】
（効果１２）
［構成１２］ベース側跳上ストッパ８５は、手前側Ｘ１から奥側Ｘ２になるに従って表面の位置が下になるように傾斜する傾斜部８５ａを備える。
［構成１２’］スライド側跳上ストッパ８６は、手前側Ｘ１から奥側Ｘ２になるに従って表面の位置が下になるように傾斜する傾斜部８６ａを備える。
【００９６】
バッテリ搭載構造２０は、上記［構成１２］および［構成１２’］の少なくとも一方を備える。よって、スライド体４０を引出状態から格納状態にしたときに、ベース側跳上ストッパ８５の下方にスライド側跳上ストッパ８６が確実に配置される。よって、スライド体４０の奥側Ｘ２部分の跳ね上げを確実に規制できる。
【００９７】
（効果１３）
［構成１３−１］図１０に示すように、バッテリ搭載構造２０は、ベース体３０に固定されるベース側引出ストッパ９１と、スライド体４０に固定されるスライド側引出ストッパ９２と、を備える。
［構成１３−２］スライド側引出ストッパ９２は、ベース側引出ストッパ９１よりも奥側Ｘ２に配置されるとともに、ベース側引出ストッパ９１に対向して配置される。
【００９８】
バッテリ搭載構造２０は、上記［構成１３−２］を備える。よって、スライド体４０を手前側Ｘ１に引き出したとき、スライド側引出ストッパ９２がベース側引出ストッパ９１に接触する。よって、手前側Ｘ１へのスライド体４０の移動を規制できる。よって、ベース体３０からスライド体４０が脱落することを防げる。
【００９９】
（効果１４）
［構成１４］バッテリ搭載構造２０は、ベース体３０に着脱可能にベース側引出ストッパ９１を固定する脱落防止締結部材９３を備える。
【０１００】
バッテリ搭載構造２０では、上記［構成１３−１］および［構成１３−２］により、手前側Ｘ１へのスライド体４０の移動が規制される。さらに、バッテリ搭載構造２０は、上記［構成１４］を備える。よって、ベース体３０からベース側引出ストッパ９１を容易に取り外せる。ベース体３０からベース側引出ストッパ９１を取り外した場合、手前側Ｘ１へのスライド体４０の移動の規制が解除される。よって、ベース体３０からスライド体４０を手前側Ｘ１に引き出して取り外すことができる。
【０１０１】
（効果１５）
［構成１５−１］図１に示すように、作業機械１は、前部に作業装置１２が取り付けられるとともに後部にカウンタウェイト１３が設けられる旋回フレーム１１と、旋回フレーム１１に対して移動可能に構成される可動式キャブ１４と、旋回フレーム１１に対して可動式キャブ１４を移動可能に支持するとともに基部１５ｂが旋回フレーム１１に固定されるキャブ支持ブラケット１５と、を備える。
［構成１５−２］枠部２１は、キャブ支持ブラケット１５の基部１５ｂに形成される。
［構成１５−３］スライド体４０は、旋回フレーム左右方向Ｘ（旋回フレーム１１の左右方向）にスライド可能に構成される。
【０１０２】
（課題）後述する「（効果１５−１）」及び「（効果１５−２）」に関連する課題について説明する。図２０および図２１に、従来の可動式キャブを備える作業機械の一例を示す。図２０は、従来の作業機械のキャブ支持ブラケット２１５の周辺を横から見た図である。図２１は、図２０に示すキャブ支持ブラケット２１５の周辺を上から見た図（図２０のＦ２１矢視図）である。
【０１０３】
従来の作業機械には、キャブ支持ブラケット２１５の基部の横に複数のバッテリ２１９が配置されたものがある。これらのバッテリ２１９は、バッテリ長手方向が旋回フレームの前後方向（旋回フレーム前後方向Ｙ）となるように直列的に配置される。このバッテリ２１９の配置は、標準機（旋回フレームにキャブが固定された作業機械）のレイアウトを崩さないようにするための配置であり、また、可動式キャブを備える作業機械と標準機との部品の共通化を優先させた配置である。
【０１０４】
また、図２１に示すように、これらのバッテリ２１９は、キャブ支持ブラケット２１５の基部の内側にバッテリ２１９の一部が入り込むように配置される。このバッテリ２１９の配置は、旋回フレームの左右方向（旋回フレーム左右方向Ｘ）の幅を狭くするための配置であり、例えば上部旋回体が輸送制限幅を超えないようにするための配置である。
【０１０５】
（課題１）図２０および図２１に示す従来の作業機械では、キャブ支持ブラケット２１５の基部横に複数のバッテリ２１９が直列的に配置されている。その結果、可動式キャブ２１４（運転室）への昇降性が悪化するおそれがある。この問題の詳細は次の通りである。可動式キャブ２１４は、キャブ支持ブラケット２１５の基部の前方に配置される。そのため、作業機械の操作者は、キャブ支持ブラケット２１５の基部横の前方に配置されるステップ（足を乗せるためのスペース）を通って、可動式キャブ２１４への昇降を行う場合がある。しかし、ステップの広さがバッテリ２１９に制限され、その結果、可動式キャブ２１４への昇降性が悪化するおそれがある。
【０１０６】
（課題２）また、上記従来技術では、旋回フレーム前後方向Ｙにおけるキャブ支持ブラケット２１５の基部の長さが長くなる結果、可動式キャブ２１４から下方が見えにくくなるおそれがある。この問題の詳細は次の通りである。上記のように、バッテリ２１９は、キャブ支持ブラケット２１５の基部の内側にバッテリ２１９の一部が入り込むように配置される場合がある。この場合、バッテリ２１９の配置スペースを確保するためには、旋回フレーム前後方向Ｙにおけるキャブ支持ブラケット２１５の基部の長さを十分長くする必要が生じる。すると、キャブ支持ブラケット２１５を長くした分、可動式キャブ２１４は前方に配置されることになる。その結果、例えば作業機械の走行時に、可動式キャブ２１４から下方を覗き込んだとき、下部走行体の先端（例えばクローラの先端）が操作者から見えない（または見えにくい）おそれがある。
【０１０７】
（効果１５−１）上記［構成１５−１］及び［構成１５−２］を備える作業機械１では、枠部２１の横の前方（旋回フレーム前後方向Ｙにおける前方）に、ステップ（図１に示す作業機械１の操作者が足をのせるためのスペース、図示なし）が配置される。また、バッテリ搭載構造２０は、上記［構成１−４］を備える。よって、図６に示すスライド体４０に搭載されたバッテリ１９を、枠部２１の内側に格納できるので、枠部２１の外側でのバッテリ１９の配置スペースを狭くできる（またはなくせる）。その結果、上記ステップが狭くなることを抑制できる。その結果、可動式キャブ１４（図１参照）への昇降性を向上させることができる。すなわち上記「（課題１）」を解決できる。
【０１０８】
（効果１５−２）上記［構成１５−２］を備える作業機械１では、枠部２１の旋回フレーム左右方向Ｘの長さが長くなるほど、可動式キャブ１４が旋回フレーム前後方向Ｙ前側に配置されることになる。その結果、例えば作業機械１の走行時に、可動式キャブ１４から下方を覗き込んだとき、下部走行体２の先端（例えばクローラの先端）が操作者から見えない（または見えにくい）という問題（上記「（課題２）」）が生じ得る。一方、上記［構成１−４］により、図６に示すようにバッテリ１９を枠部２１の内側に格納できる。よって、従来技術（図２０および図２１参照）のようにバッテリ１９の長手方向を旋回フレーム前後方向Ｙにして、複数のバッテリ１９を旋回フレーム前後方向Ｙに直列的に配列する必要がない。よって、図１に示す枠部２１が旋回フレーム前後方向Ｙに長くなることを抑制できる。その結果、可動式キャブ１４を、旋回フレーム前後方向Ｙ後側（従来技術に比べて後側）に配置できる。その結果、例えば作業機械１の走行時に、可動式キャブ１４から下方を覗き込んだとき、下部走行体２の先端（例えばクローラの先端）が操作者から見えない（または見えにくい）という問題を抑制できる。
【０１０９】
（変形例）
図１９を参照して、変形例のバッテリ搭載装置１２５（バッテリ搭載構造１２０）について、上記実施形態のバッテリ搭載装置２５（図８参照）との相違点を説明する。なお、変形例のバッテリ搭載装置１２５のうち、バッテリ搭載装置２５（図８参照）との共通点には同一の符号を付した。図８に示すように、上記実施形態では、ベース側上下規制部７１（横板７１ｂ）とスライド側上下規制部７２（横板７２ｂ）とが対向する部分は、幅方向Ｙにおけるスライド体４０の幅以内、かつ、スライド体４０の下方に配置された。一方、図１９に示す変形例では、ベース側上下規制部１７１（横板１７１ｂ）とスライド側上下規制部１７２（横板１７２ｂ）とが対向する部分は、幅方向Ｙにおけるスライド体４０の幅よりも外側に配置される。この相違点の詳細は次の通りである。
【０１１０】
ベース側上下規制部１７１の縦板１７１ａは、幅方向Ｙにおけるスライド体４０の幅よりも外側に配置される。ベース側上下規制部１７１の横板１７１ｂは、縦板７１ａの上端部から、幅方向Ｙ内側に突出する。
【０１１１】
スライド側上下規制部１７２の横板１７２ｂは、縦板７２ａの下端部から、幅方向Ｙ外側に突出する。横板１７１ｂは、スライド方向Ｘから見て、スライド体４０よりも（トレー部４１よりも、トレー側板４１ｓよりも）幅方向Ｙ外側に突出する。
【０１１２】
（その他の変形例）
上記実施形態では、図１に示すバッテリ搭載構造２０は、キャブ支持ブラケット１５の基部１５ｂに配置された。しかし、バッテリ搭載構造２０は、キャブ支持ブラケット１５の基部１５ｂ以外の位置であって、枠部（２１）がある部分に配置されてもよい。例えば、バッテリ搭載構造２０は、作業機械１が備える各種機器（エンジン、ラジエーター、ポンプ、タンクなど）を、支える枠部（２１）およびその内側に配置されてもよい。
また、上記実施形態では、スライド方向Ｘは、旋回フレーム左右方向Ｘであった。しかし、スライド方向Ｘは、旋回フレーム左右方向Ｘとは異なる方向でもよい。スライド方向Ｘは、水平方向と平行であることが好ましい。スライド方向Ｘが水平方向と平行の場合、スライド方向Ｘが水平方向に対して傾斜している場合に比べて、スライド体４０の移動（スライド）を容易に行える。
また、上記実施形態では、作業機械１は、可動式キャブ１４を備えた。しかし、作業機械１は、旋回フレーム１１に固定されるキャブ（固定式キャブ）を備えてもよい。
【符号の説明】
【０１１３】
１    作業機械
１１  旋回フレーム
１２  作業装置
１３  カウンタウェイト
１４  可動式キャブ
１５  キャブ支持ブラケット
１５ｂ  基部
１９  バッテリ
２０、１２０  バッテリ搭載構造
２１  枠部
３０  ベース体
４０  スライド体
４１  トレー部
４５  上下規制部取付部
６０  スライドパッド
７１、１７１  ベース側上下規制部
７２、１７２  スライド側上下規制部
７３  上下規制部締結部材
７５  ベース側左右規制部
７６  スライド側左右規制部
８１  ベース側格納ストッパ
８２  スライド側格納ストッパ
８３  格納ストッパ締結部材
８５  ベース側跳上ストッパ
８５ａ  傾斜部
８６  スライド側跳上ストッパ
８６ａ  傾斜部
８７  跳上ストッパ締結部材
９１  ベース側引出ストッパ
９２  スライド側引出ストッパ
９３  脱落防止締結部材
Ｘ    スライド方向
Ｘ１  手前側（スライド方向手前側）
Ｘ２  奥側（スライド方向奥側）
Ｙ    幅方向（スライド体の幅方向）
【図１】
2015140627.tif 000003
【図２】
2015140627.tif 000004
【図３】
2015140627.tif 000005
【図４】
2015140627.tif 000006
【図５】
2015140627.tif 000007
【図６】
2015140627.tif 000008
【図７】
2015140627.tif 000009
【図８】
2015140627.tif 000010
【図９】
2015140627.tif 000011
【図１０】
2015140627.tif 000012
【図１１】
2015140627.tif 000013
【図１２】
2015140627.tif 000014
【図１３】
2015140627.tif 000015
【図１４】
2015140627.tif 000016
【図１５】
2015140627.tif 000017
【図１６】
2015140627.tif 000018
【図１７】
2015140627.tif 000019
【図１８】
2015140627.tif 000020
【図１９】
2015140627.tif 000021
【図２０】
2015140627.tif 000022
【図２１】
2015140627.tif 000023